(57)【要約】液体透過性上部シート（３）、液体不透過性下部シート（２）、及びそれらの間に包囲された吸収体（４）を含むおむつ、失禁ガード、パンティライナー又は衛生ナプキンの如き吸収物品であって、前記上部シート（３）と吸収体（４）が直接的に又は少なくとも一つの中間層を介して部分的に第一の接着剤（５）により及び部分的に第二の接着剤（６）により接合されている吸収物品。前記上部シート（３）からなりかつ前記第一の接着剤（５）及び前記第二の接着剤（６）を用いて接着的に接合されている表面は交互に隆起された領域（８）とくぼみを作られた領域（７）を示す三次元構造に形成されており、前記第一の接着剤（５）はくぼみを作られた領域（７）中に配置され、前記第二の接着剤（６）は隆起された領域（８）中に配置されている。【選択図】図３
2004533280.tif 000002
【特許請求の範囲】
【請求項１】
液体透過性上部シート（３）、液体不透過性下部シート（２）、及びそれらの間に包囲された吸収体（４）を含むおむつ、失禁ガード、パンティライナー又は衛生ナプキンの如き吸収物品であって、前記上部シート（３）と吸収体（４）が直接的に又は少なくとも一つの中間層を介して第一の接着剤（５）により接合されているものにおいて、前記第一の接着剤（５）よりも疎水性の第二の接着剤（６）が前記上部シート（３）と吸収体（４）を直接的に又は前記中間層を介して接合するために用いられていることを特徴とする吸収物品。
【請求項２】
前記第一の接着剤（５）が実質的に親水性の接着剤からなることを特徴とする請求項１記載の物品。
【請求項３】
前記第二の接着剤（６）が実質的に疎水性の接着剤からなることを特徴とする請求項１記載の物品。
【請求項４】
前記第一の接着剤（５）と前記第二の接着剤（６）がパターンで配置されており、第一の接着剤（５）のパターンが少なくとも実質的な程度まで第二の接着剤（６）のパターンと一致せず、第二の接着剤（６）のパターンに関して変位されていることを特徴とする請求項１〜３のいずれか一項記載の物品。
【請求項５】
前記上部シート（３）からなりかつ前記第一の接着剤（５）及び前記第二の接着剤（６）を用いて接着的に接合されている表面が交互に隆起された領域（８）とくぼみを作られた領域（７）を示す三次元構造に形成されていることを特徴とする請求項４記載の物品。
【請求項６】
前記表面がくぼみを作られた領域（７）と隆起された領域（８）を示し、前記第一の接着剤（５）がくぼみを作られた領域（７）中に配置されており、前記第二の接着剤（６）が隆起された領域（８）中に配置されていることを特徴とする請求項５記載の物品。
【請求項７】
第一の接着剤（５）が第二の接着剤（６）の接触角θよりも小さい接触角θを示すことを特徴とする請求項１記載の物品。
【請求項８】
第一の接着剤（５）が第二の接着剤（６）の接触角θよりも少なくとも１０°小さい接触角θを示すことを特徴とする請求項１記載の物品。
【請求項９】
第一の接着剤（５）が第二の接着剤（６）の接触角θよりも少なくとも２０°小さい接触角θを示すことを特徴とする請求項１記載の物品。
【請求項１０】
第一の接着剤（５）が第二の接着剤（６）の接触角θよりも少なくとも３０°小さい接触角θを示すことを特徴とする請求項１記載の物品。
【請求項１１】
第一の接着剤（５）が９０°よりも小さい接触角θを示し、かつ第二の接着剤（６）が９０°を越える接触角θを示すことを特徴とする請求項１記載の物品。
【発明の詳細な説明】
【０００１】
技術分野
本発明は液体透過性上部シート、液体不透過性下部シート、及びそれらの間に包囲された吸収体を含むおむつ、失禁ガード、パンティライナー又は衛生ナプキンの如き吸収物品であって、前記上部シートと吸収体が直接的に又は少なくとも一つの中間層を介して第一の接着剤により接合されているものに関する。
【０００２】
発明の背景
おむつ、失禁ガード又は衛生ナプキンの如き吸収物品は通常、液体透過性上部シート、液体不透過性下部シート、及びそれらの間に包囲された吸収体を含む。典型的には上部シートは疎水性接着剤により下部シートに接着される。
【０００３】
改良された液体吸収を有する使用者の方に面する表面を達成するため、上部シートが液体を下に横たわる吸収体へと一層迅速に通過させることを可能とするための様々な処理が提案されている。不織布材料は上部シートとしてしばしば利用されるが、通常実質的に疎水性である。これらの材料は材料をより親水性にさせるために例えば界面活性剤で処理されることができる。しかし、材料の湿潤後、界面活性剤は洗い流され、上部シートは再び疎水性となる。そのため、材料を通した液体移送が悪化される。
【０００４】
ＥＰ  ０８２２７９４は液体不透過性下部シート、吸収芯、及び液体不透過性上部シートからなる物品の上に山及び谷を有する三次元構造を達成する方法を開示する。下に横たわる吸収体を有する上部シートはエンボス加工されたロールによりパターンを与えられており、エンボス加工されたロールは前記山及び谷を含むパターンを作り出す。このトポロジーは液体を吸収芯中へと案内することを意図される。第二のローリング処理において、上部シート中の疎水性繊維を中和するため、及び親水性流れすじの形態で吸収体中の親水性繊維との接触を作り出すため、浸透剤が適用される。
【０００５】
しかし、上部シートから吸収体への液体の良好な移送のための前提条件は前記層が直接的に又は下に横たわる移動層を介して吸収体と実際に接触するということである。空隙が上部シートと吸収体の間に作り出されることがある。又は代わりに上部シート、下に横たわる液体移動層及び吸収体からなる三つの異なる層の間に空隙が生ずることがあり、これは吸収体中への液体取得をかなり妨げる。吸収体が上部シートと実際に接触しかつ接触しつづけることを確実にするため、上部シート及び吸収体は接着剤により接合されることができる。この目的のため、疎水性又は親水性の接着剤が利用されることができる。
【０００６】
ＳＥ  ５０３７９８は液体を一層容易に通過させる表面を達成するために上部シートが親水性接着剤により吸収体に接着されている吸収物品を開示する。しかし、表面は着用者による使用中にいくらか湿潤していると知覚されることがある。
【０００７】
ＷＯ  ９８／４２２９０はわずかに隆起された平坦な領域及びくぼみを作られた領域を有する三次元構造を示す物品を開示する。隆起された領域にわたって、疎水性材料が上部シートの上に適用されており、これは液体をくぼみを作られた領域へと進ませる。この製品はしかし、疎水性材料が上部シートに適用される必要があり、材料及び設備の選択に関心が持たれている場合に吸収物品の製造において追加の工程を必要とするという不都合を有する。
【０００８】
従って、迅速な液体取得を提供しかつ使用者が乾燥した表面を有していると知覚する製品に対する要求が存在する。
【０００９】
発明の概要
本発明の目的は良好な液体吸収能力を有しかつ使用者の方に面する乾燥した表面をなお示す製品を提供することである。この目的は前記上部シートと吸収体を直接的に又は少なくとも一つの中間層を介して接合するために前記第一の接着剤よりも疎水性の第二の接着性を用いることにより達成される。吸収されるべき液体はこのようにして作り出された水溶液を撥水するより疎水性の領域から相対的により親水性の領域へと案内され、そこで液体は更に下方に指向され、吸収体中に吸収される。
【００１０】
好ましくは、第一の接着剤と第二の接着剤はパターンで配置されており、第一の接着剤のパターンは少なくとも実質的な程度まで第二の接着剤のパターンと一致せず、第二の接着剤のパターンに関して変位されている。
【００１１】
本発明の他の側面によれば、上部シートの接着的に接合されている部分は代替的に吸収体と重複する少なくとも一つの中間層と一緒に三次元構造に形成されることができる。これは隆起された疎水性領域とくぼみを作られた親水性領域を有することが好ましい製品を生ずる。吸収されるべき液体はくぼみを作られた親水性の領域の上に案内され、そこで液体は下に横たわる吸収体中に吸収されるであろう。一方、疎水性の隆起された領域はより少ない液体を含有するであろう。結果として使用者の皮膚に最も接近して接触する隆起された領域はより乾燥していると知覚されるであろう。
【００１２】
図面の簡単な説明
以下、添付の図面に示された実施態様を参照して本発明を一層詳細に説明する。
図１は本発明による吸収物品の上方から見た模式的透視図を示す。
図２は図１中の線Ｉ−Ｉに添った断面図を示す。
図３はエンボス加工後、三次元構造を得た図２における断面図を示す。
図４は接触角θの測定の模式図を示す。
図５は実施例１による接着剤の接触角を決定するための実験の結果を示す。
【００１３】
発明の詳細な説明
図面はおむつ、失禁ガード、パンティライナー、又は衛生ナプキンであることができる吸収物品１の実施態様を示す。前記吸収物品は液体不透過性下部シート２、液体透過性上部シート３、及びそれらの間に包囲された吸収体４を含む。液体透過性上部シート３は不織布材料、例えば連続フィラメントのスパンボンド材料、メルトブローン材料、結合されカードされた繊維材料、又はトウ材料からなることができる。液体不透過性下部シート２はプラスチックフィルム、液体バリヤ材料でコートされた不織布材料、又は液体の浸透に抵抗する疎水性不織布材料からなることができる。
【００１４】
下部シート２及び上部シート３は吸収体４よりも平面においていくらか大きい広がりを有し、その縁を越えて延びる。層２及び３は突出する部分内で例えば接着により又は熱もしくは超音波による溶接により相互に連結されている。
【００１５】
吸収体４はいかなる従来の種類のものであることができる。通常用いられる吸収材料の例はセルロース毛羽パルプ、ティッシュ層、極めて吸収性の高いポリマー（いわゆる超吸収剤）、吸収性フォーム材料、吸収性不織布材料及び同様物である。セルロース毛羽パルプを吸収体中の超吸収剤と組合わせることは一般的である。液体取得能力、分布能力及び貯蔵能力に関心が持たれている場合には異なる特性を有する異なる材料の層からなる吸収体を用いることも一般的である。これは当該技術分野の当業者には周知であり、それ故、詳細に説明する必要はない。薄い吸収芯は例えばベビー用おむつ、失禁ガード及び衛生ナプキンにおいて一般的であり、通常、セルロース毛羽パルプ及び超吸収剤の圧縮された混合物又は層状構造からなる。
【００１６】
上部シート３は吸収体４に直接的に結合される必要はない。例えば上部シートと下に横たわる液体移動層（詰め綿、嵩高い不織布、又は同様物の如き）のラミネートを作り出すことも可能である。その後、かかるラミネートは従来の方法で、例えば接着により吸収体に付着されることができる。液体移動層は上部シートとも及び吸収体ともみなされることができる吸収物品の要素を構成する。液体移動層において一般的に利用される材料はポリエステル詰め綿、多孔質不織布材料、トウ材料、エアレイされ結合されたセルロース層等である。従って、様々な実施態様を説明する場合、本発明は上部シート３と吸収体４の間の下に横たわる少なくとも一つのかかる液体移動層の可能な存在を含むことを意図される。
【００１７】
本発明による物品において、液体透過性上部シート３と吸収体４の接触表面は第一の接着剤５及び第二の接着剤６により接合される。好ましくは、前記第一の接着剤５は実質的に親水性の接着剤からなる。前記第二の接着剤６は実質的に疎水性の接着剤からなることができる。しかし、重要なことは前記第二の接着剤６が前記第一の接着剤５よりも疎水性の性質を有するということである。
【００１８】
接着剤の疎水性又は親水性の性質はいわゆる接触角テストにより決定されることができる。もし９０°を越える接触角θを示すなら、接着剤は疎水性であるとみなされることができる。このテストに関する詳細については実施例１を参照されたい。第一の接着剤５は第二の接着剤６の接触角θよりも小さい接触角θを示すべきである。第一の接着剤５が第二の接着剤６よりも少なくとも１０°小さい接触角θを示すことが好ましい。好ましくは、第一の接着剤５は第二の接着剤６よりも少なくとも２０°小さい接触角θを示す。第一の接着剤５が第二の接着剤６よりも少なくとも３０°小さい接触角を示すことが一層好ましい。他の実施態様においては、第一の接着剤５は９０°よりも小さい接触角θを示し、第二の接着剤６は９０°を越える接触角θを示す。
【００１９】
図２は物品の断面図を示す。これはどのようにして第一の接着剤５と第二の接着剤６（これらは上部シート３と吸収体４の間に配置される）がパターンで配置され、第一の接着剤５のパターンが少なくとも実質的な程度まで第二の接着剤６のパターンと一致せず、第二の接着剤６のパターンに関して変位されているかを示す。パターンは例えばストリップ又は四角形からなることができ、そこでは異なる接着剤はｘ及び／又はｙ方向に沿って見て交互の位置をとる。なお、用語「ｘ方向」は前部分、後部分、及びそれらの間に位置する股部分として規定される物品の縦方向に対して横方向を意味する。用語「ｙ方向」は物品の縦方向に沿った方向を意味する。
【００２０】
図３は断面においてどのようにして物品がエンボス加工後に三次元構造を得たかということを示す。この構造はくぼみを作られた領域７及び隆起された領域８を示す。前記第一の接着剤５はくぼみを作られた領域７中に配置され、前記第二の接着剤６は隆起された領域８中に配置される。
【００２１】
エンボス加工は第一の接着剤が位置されている場所に配置された溝により達成されることができる。これらの領域は次に三次元構造におけるくぼみを作られた領域７を構成するであろう。更に、構造は二つの接着剤が実質的に市松模様のパターンで配置されたワッフル構造であることができる。更に、一つの列におけるくぼみを作られた領域７及び隆起された領域８の場所は隣の列に関してｘ方向に変位されることができる。接着剤は物品の縦方向に沿って実質的に波形構造で適用されることもできる。
【００２２】
上部シート３が交互に隆起された部分とくぼみを作られた部分を有する三次元構造を持つ材料、例えば結合点がくぼみを作られた部分７を構成する特定の結合パターンで結合された材料からなる場合、より親水性の接着剤が結合点に適用され、より疎水性の接着剤が結合点の間の隆起された部分８に適用されることができる。
【００２３】
前記三次元構造は例えば硬化中又は熱処理中に異なる程度に収縮し、かくして隆起された領域及びくぼみを作られた領域を有する三次元構造を作り出すような接着剤により達成されることもできる。
【００２４】
別の実施態様によれば、物品は例えば物品の中央部分に位置されることができるくぼみを作られた親水性領域の一層密な分布を持つ液体取得領域を有することができる。これは不規則なパターンで配置された接着剤により、又は物品の接着的に接合された部分の一部のみに施されたエンボス加工により達成されることができる。
【００２５】
物品が使用され、液体が吸収体４に接着的に接合されたエンボス加工された上部シート３に到ると、液体は疎水性の隆起された部分８に沿ってより親水性のくぼみを作られた部分７の方へ流れることができるであろう。そこから液体は上部シート３を通して下へと迅速に浸透し、更に吸収芯４中に吸収されることができるであろう。もちろん小さな吸収は隆起された領域８でも生ずるであろうが、液体の主要部分は製品中への更なる吸収のためにくぼみを作られた領域７にたどり着くであろう。その結果、皮膚に対して最も接近して接触する隆起された領域８はより少ない液体を含有し、それにより、より乾燥していると使用者によって知覚されるであろう。更に、三次元構造はくぼみを作られた領域７を通した物品と着用者の間の微小な気流を可能とし、これは製品がより乾燥していると知覚されるという結果を生じる。
【００２６】
くぼみを作られた領域及び隆起された領域を有する三次元形状を与えられた上部シート３は一層好ましい再湿潤環境を与える。何故なら、隆起された領域は疎水性接着剤を用いて接着的に接合されており、これは物品からの液体移送を妨げるからである。更に、エンボス加工は使用者の体と物品中へと吸収される液体との間に間隔を作り出す。
【００２７】
以下、本発明は実施例により、一層詳細に説明されるであろう。
【００２８】
実施例１
接着剤上の接触角の測定
親水性であるとみなされるためには、接着剤の如き材料は液体と材料の間に９０°よりも小さいと測定される接触角θを有するべきである。不織布材料の如き支持体と接触しているテスト液体と材料の間の接触角はＤＡＴ（動的吸収テスター）により測定されることができる。
【００２９】
四つの異なる接着剤が８０ｇ／ｍ２の坪量を有する紙に適用された。その後、標本は２５ｍｍ幅のストリップに切断された。小さな液滴がマイクロシリンジによりテスト支持体の表面上に適用された。カメラはいくつかの時間間隔の間、液滴の像を撮影する。接触角θは時間の関数として測定される。二つの異なるテストが行われた：一つは０．１，１．０，及び１０秒での測定であり、もう一つは１０．０，３０．０，及び６０．０秒での測定である。
【００３０】
以下の接着剤がテストされた：
２．  ポリ酢酸ビニルをベースとし、ポリビニルアルコールで安定化された親水性分散性接着剤。
４．  部分的に架橋されたエチレン酢酸ビニルコポリマーをベースとする親水性分散性接着剤。
５．  アタクチックポリ−α−オレフィンをベースとする疎水性溶融性接着剤。
８．  ノニオン性界面活性剤及びアタクチックポリプロピレンをベースとする疎水性溶融性接着剤。
【００３１】
結果（図４参照）は接着剤Ｎｏ．５は９０°を越える接触角を有すること、即ちこの材料は疎水性であること、及び他の接着剤２，４及び８は９０°よりも小さい接触角を有すること、即ちこれらは親水性接着剤であることを示した。
【００３２】
本発明はもちろん上述の及び図に示された実施態様に限定されるわけではなく、特許請求の範囲の範囲内で変更されることができる。
【図面の簡単な説明】
【００３３】
【図１】本発明による吸収物品の上方から見た模式的透視図を示す。
【図２】図１中の線Ｉ−Ｉに添った断面図を示す。
【図３】エンボス加工後、三次元構造を得た図２における断面図を示す。
【図４】接触角θの測定の模式図を示す。
【図５】実施例１による接着剤の接触角を決定するための実験の結果を示す。
【図１】
2004533280.tif 000003
【図２】
2004533280.tif 000004
【図３】
2004533280.tif 000005
【図４】
2004533280.tif 000006
【図５】
2004533280.tif 000007
【国際公開パンフレット】
2004533280.tif 000008
2004533280.tif 000009
2004533280.tif 000010
2004533280.tif 000011
2004533280.tif 000012
2004533280.tif 000013
2004533280.tif 000014
2004533280.tif 000015
2004533280.tif 000016
2004533280.tif 000017
2004533280.tif 000018
2004533280.tif 000019
2004533280.tif 000020
2004533280.tif 000021
2004533280.tif 000022
【国際調査報告】
2004533280.tif 000023
2004533280.tif 000024
2004533280.tif 000025
2004533280.tif 000026